(57)【要約】【課題】  全体の形状を平面的にして着脱および使用後の後始末を容易にし、またサイズを調整できるようにする。またコストを抑えるように構造を簡素化し、安価で防水性のある素材を使用した犬用レインコートを提供する。【解決手段】  身ごろとフードをそれぞれ平面的に作って、両方を付着させ一体化する。身ごろとフード及びそれぞれのベルトにホックを数箇所付け、ホックをはめる位置を選択することにより、また身ごろの裾をカット可能にすることによって、サイズを調整できるようにした。さらに防水性が高く、安価な素材を使用して作ったことを特徴とする。【選択図】  図１
0003102313.tif 000002
【実用新案登録請求の範囲】
【請求項１】
フードと身ごろをそれぞれ平面形状にし両方を付着させて一体化し、フード、身ごろ、及びそれぞれのベルトのホックをはめる位置を選択することにより、また、身ごろの裾をカット可能にすることにより、着用する犬の首周り、胴回り、背丈に合わせてサイズを調整できるようにした犬用レインコート。
【請求項２】
フードは、頭の形状にフィットするように、ダーツをとって張りをもたせ、ベルトによって両端を固定し、つばの中央先端にループを付け、フック等に掛けられるようにした請求項１記載の犬用レインコート。
【考案の詳細な説明】
【技術の分野】
【０００１】  この考案は、フードと身ごろをともに平面形状に作り、両方を付着させて一体化し、またサイズを調整できるように、身ごろやフード及びそれぞれのベルトにホックを複数取り付けたり、身ごろの裾をカットできるようにした犬用レインコートに関するものである。
【背景技術】
【０００２】  従来、犬用レインコートには、実開昭６２−２１８５８号公報のように、フード、襟、身ごろより平面的に構成され、襟部で紐によりフードを固定し、身ごろに付けられたベルトで身ごろを胴体に固定させるものがあった。
【考案の開示】
【考案が解決しようとする課題】
【０００３】  以上に述べた従来の犬用レインコートでは、着用する犬の首周り、胴周り、背丈に合わせるためには、身ごろの着丈、ベルトを取り付ける位置を、その犬に適応させなければならないので、サイズの異なった犬に着用させることが困難である。また、フードが襟部の紐のみで固定されているので、フードが倒れ易く、全くの平面構造であるため頭の形状にフィットしにくい。【０００４】  本考案は、このような従来の構成が有していた問題を解決しようとするものであり、サイズの調整を可能にし、また着脱や着用後の後始末を容易にし、さらにコストを抑えて安価な犬のレインコートを実現することを目的とするものである。
【課題を解決するための手段】
【０００５】  身ごろとフードをそれぞれ平面形状に作り、両方を付着させて一体化する。フードは頭の形状にフィットするようにダーツを入れる。フードや身ごろ及びそれぞれのベルトにホックを複数取り付け、レインコートを着用する犬のサイズに合わせてホックのはめる位置を選択できるようにし、また身ごろの裾をカットできるようにする。素材に安価で防水性の高い塩化ビニールを使用する。以上の構成よりなる犬用レインコートである。
【考案の効果】
【０００６】  フードと身ごろが平面的に作られ、またそれぞれが付着され一体化されているので、着脱や着用後の始末が容易である。フードは頭の形状にフイットし、ベルトで固定されるので倒れない。かつ頭全体をすっぽり覆わないので頭や耳を圧迫しない。また、サイズを調整できるので、サイズ別の種類を少なくすることができる。そのうえ、構造をシンプルにし、素材に塩化ビニールを使用したことにより、コストを抑えられ、安価にすることができる。身ごろやベルトの形は四角でもよいし、角を丸くしてもよく平面的であればよい。
【考案を実施するための最良の形態】
【０００７】  以下、添付図面に従って本考案の実施例について説明する。１は塩化ビニール素材によりなる身ごろ、２は、同じ素材よりなるフードで、身ごろ１とフード２をそれぞれ平面形状に作り、両方を付着させて一体化する。【０００８】  フード２はその下部にダーツ７を数箇所とって張りをもたせ、頭の形状にフィットし易いように作る。なお、フード２の下端を、リードを通すために中間部分は付着させず、それ以外の部分を身ごろ１と付着させる。また、フード１と身ごろ２と両方に付けるベルト３及びベルト４にホック８を数箇所取り付ける。フード２のベルト４は一方の端をフードに付着させる。また、身ごろ１の上端の首の両脇に接する部分にそれぞれハトメ１０を取り付け、紐６を通す。身ごろ１の裾に段１ａを数箇所作る。フード２のつば２ａを透明な塩化ビニールで形成し、そのつば２ａにループ５を付け、フック等に掛けられるようにする。【０００９】  本考案は、以上のような構造で、これを使用するときは、フード２はベルト４でホック８をはめる位置を選択して顎の部分で固定する。身ごろ１は、ベルト３の中央部と身ごろの中央部に付けられたホック８をはめる位置を選択して固定してから、ベルト３の左右を胴体に回し、ベルト３に付けられたホック８のはめる位置を選択して固定する。また、身ごろ１とフード２の両方を身ごろの上端に付けられた紐６で固定する。また、レインコートを着用する犬の背丈に合わせて、必要があれば最適な位置にある段１ａのところでカットする。【００１０】  なお、本考案のレインコートの素材は、塩化ビニールでなくても、カットした時にカット部分がそのままの状態で問題がない防水加工された布を使用してもよい。また、付着方法は、この実施例の場合はすべてウェルダー（高周波）加工により行うが、接着剤、チャック、ボタンなど他の方法でもよい。
【図面の簡単な説明】
【００１１】
【図１】本考案の平面図である。
【図２】本考案のフード裏面の平面図である。
【図３】本考案を着用した犬の斜視図である。
【符号の説明】
【００１２】  １  身ごろ
１ａ  段
２  フード
２ａ  つば
３  ベルト
４  ベルト
５  ループ
６  紐
７  ダーツ
８  ホック
９  リード通し穴
１０  ハトメ
【図１】
0003102313.tif 000003
【図２】
0003102313.tif 000004
【図３】
0003102313.tif 000005
【手続補正書】
【提出日】平成16年2月5日(2004.2.5)
【手続補正１】
【補正対象書類名】明細書
【補正対象項目名】０００３
【補正方法】変更
【補正の内容】
【０００３】  以上に述べた従来の犬用レインコートでは、着用する犬の首周り、胴周り、背丈に合わせるためには、身ごろの着丈、ベルトを取り付ける位置やベルトの長さを、その犬に適応させなければならないので、サイズの異なった犬に着用させることが困難である。また、フードが襟部の紐のみで固定されているので、フードが倒れ易く、頭の形にフィットしにくい形状である。
【手続補正２】
【補正対象書類名】明細書
【補正対象項目名】０００９
【補正方法】変更
【補正の内容】
【０００９】  本考案は、以上のような構造で、これを使用するときは、フード２はベルト４によりホック８をはめる位置を選択して顎の部分で固定する。身ごろ１は、ベルト３によりホック８のはめる位置を選択して固定する。また、身ごろ１とフード２の両方を身ごろの上端に付けられた紐６で固定する。また、レインコートを着用する犬の背丈に合わせて、必要があれば、身ごろの裾にある段１ａのうち最適な位置にある段のところでカットする。
【手続補正３】
【補正対象書類名】図面
【補正対象項目名】全部
【補正方法】変更
【補正の内容】
【書類名】  図面
【図１】
0003102313.tif 000006
【図２】
0003102313.tif 000007
【図３】
0003102313.tif 000008